(57)【要約】【課題】  例えばヘッドセット型マイクロホンにおいて、人体から発生する汗が支持ブームを伝わってマイクロホンユニット内に浸入することを確実に防止する。【解決手段】  人体に対する装着手段（例えばヘッドバンド）１０と、所定の支持部材（例えば支持ブーム）３０を介して装着手段に支持されるマイクロホンユニット２０とを含み、マイクロホンユニット２０が装着手段を介して人体の所定部位に着脱自在に装着されるマイクロホン１において、支持部材３０に静電植毛によるパイルを植設するとともに、パイルに撥水処理を施す。【選択図】  図１
2006197287.tif 000002
【特許請求の範囲】
【請求項１】
人体に対する装着手段と、所定の支持部材を介して上記装着手段に支持されるマイクロホンユニットとを含み、上記マイクロホンユニットが上記装着手段を介して人体の所定部位に着脱自在に装着されるマイクロホンにおいて、
上記支持部材の上記マイクロホンユニットに対する付け根部分から上記装着手段側に向けての所定範囲に静電植毛によるパイルが植設されているとともに、上記パイルに撥水処理が施されていることを特徴とするマイクロホン。
【請求項２】
上記パイルが太さ１〜３デニールで、長さが０．５〜１．０ｍｍのナイロンパイルである請求項１に記載のマイクロホン。
【請求項３】
上記パイルが黒色系パイルである請求項１または２に記載のマイクロホン。
【請求項４】
上記パイルがベージュ色系パイルである請求項１または２に記載のマイクロホン。
【発明の詳細な説明】
【技術分野】
【０００１】
本発明は、人体に装着して使用されるマイクロホンに関し、さらに詳しく言えば、人体から発生する汗などに対する防水手段に関するものである。
【背景技術】
【０００２】
人体に装着して使用されるマイクロホンには、ヘッドセット型マイクロホンとタイピン型マイクロホンとがある。ヘッドセット型マイクロホンでは、マイクロホンユニットが支持ブームを介してヘッドバンドに支持され、ヘッドバンドを人体の頭部に装着することによりマイクロホンユニットが口元近くに配置される。
【０００３】
タイピン型マイクロホンでは、マイクロホンユニットから引き出されているマイクコードの所定部分にネクタイピン状の装着具が取り付けられ、その装着具を例えば衣服の襟元などに係止することによりマイクロホンユニットが口元近くに配置される。すなわち、タイピン型マイクロホンでは、マイクロホンユニットがマイクコードを介してネクタイピン状の装着具に支持されることになる。
【０００４】
いずれにしても、この種のマイクロホンにおいては、マイクロホンユニットが話者の口元近くに配置されるため、人体から発生する汗などの水滴を浴びやすい状況に晒され、その水滴がマイクロホンユニット内に入り込むと絶縁不良や腐蝕が起こり、これが原因で雑音が発生することがある。
【０００５】
これを防止するため、特許文献１に記載の発明では、撥水処理を施したウインドスクリーンをマイクロホンユニットに被せるようにしている。これによれば、話者の口から放出される唾は遮ることができるが、頭部や首筋などから発汗された汗が支持ブームやマイクコードを伝わってマイクロホンユニット内に入り込むことまでは防止できない。
【０００６】
そこで、例えばドイツ国ＡＫＧ社製のラベリアマイクロホンＣＫ７７ＷＲなどでは、マイクロホンユニットのコード引出側に鍔状の堰板を設けている。これによれば、支持ブームやマイクコードを伝わってくる汗をある程度阻止することができるが、マイクロホンユニットに対する沿面距離を十分とることができないため、汗の量が多い場合には有効に機能せずマイクロホンユニット内に汗が浸入してしまうことがある。
【０００７】
鍔状の堰板を大径として、マイクロホンユニットに対する沿面距離を十分にとることにより汗を重力で落下することができるが、鍔状の堰板を大径とすることは、マイクロホンを使用するうえで、また、外観的にも好ましくないため、鍔状の堰板の大きさは自ずと制限される。
【０００８】
【特許文献１】特開平１１−２７５６７２号公報
【発明の開示】
【発明が解決しようとする課題】
【０００９】
したがって、本発明の課題は、ヘッドセット型マイクロホンやタイピン型マイクロホンにおいて、人体から発生する汗などの水滴が支持ブームやマイクコードなどの支持部材を伝わってマイクロホンユニット内に浸入することを確実に防止することにある。
【課題を解決するための手段】
【００１０】
上記課題を解決するため、本発明は、人体に対する装着手段と、所定の支持部材を介して上記装着手段に支持されるマイクロホンユニットとを含み、上記マイクロホンユニットが上記装着手段を介して人体の所定部位に着脱自在に装着されるマイクロホンにおいて、上記支持部材の上記マイクロホンユニットに対する付け根部分から上記装着手段側に向けての所定範囲に静電植毛によるパイルが植設されているとともに、上記パイルに撥水処理が施されていることを特徴としている。
【００１１】
本発明の好ましい態様によれば、上記パイルには太さ１〜３デニールで、長さが０．５〜１．０ｍｍのナイロンパイルが用いられる。また、上記パイルには黒色系パイルもしくはベージュ色系パイルが用いられる。
【発明の効果】
【００１２】
本発明によれば、マイクロホンユニットを支持する支持部材に静電植毛によるパイルを植設するとともに、パイルに撥水処理を施したことにより、そのパイル表面は水滴の濡れ角が大きく、マイクロホンユニットに対する沿面距離を十分にとることができるため、支持部材に付着した水滴は、マイクロホンユニットに至る途中で重力により落下する。
【００１３】
パイルとして太さ１〜３デニールで、長さが０．５〜１．０ｍｍのナイロンパイルを用いることにより、パイル同士の絡み合いのない風合いのよい外観が得られる。また、黒色系パイルを用いることにより光の反射を防止することができ、ベージュ色系パイルを用いることによりテレビジョンスタジオやステージなどで使用する際にマイクロホンの存在を視覚的に抑えることができる。
【発明を実施するための最良の形態】
【００１４】
次に、図１および図２により、本発明の実施形態について説明するが、本発明はこれに限定されるものではない。図１は本発明が適用されたヘッドセット型マイクロホンの一例を示す正面図、図２はその要部拡大断面図である。
【００１５】
図１に示すように、この実施形態に係るマイクロホン１は、ヘッドセット型であることから、人体に対する装着手段としてのヘッドバンド１０を備えている。この例において、ヘッドバンド１０の両端にはヘッドホンユニット１１が設けられているが、ヘッドホンユニット１１は片側だけに設けられていてもよい。また、ヘッドバンド１０は頭頂部に配置されるように形成されているが、これとは異なり、例えば後頭部側に掛け渡されるものであってもよく、さらには耳掛け式の装着手段が用いられてもよい。
【００１６】
マイクロホンユニット２０は、支持ブーム３０を介してヘッドバンド１０に支持され、ヘッドバンド１０を頭部に装着することにより話者の口元近くに配置される。ヘッドセット型の場合、タイピン型と同じく、マイクロホンユニット２０には小型で軽量なコンデンサマイクロホンユニットが用いられる。
【００１７】
支持ブーム３０には、合成樹脂製もしくは金属製のパイプ材が用いられるが、フレキシブルパイプが用いられてもよい。支持ブーム３０内にはマイクロホンユニット２０に接続されるマイクコード３１が挿通される。この例において、支持ブーム３０はヘッドバンド１０の一端側に角度調整可能に設けられているハンガー１２に連結されている。
【００１８】
このマイクロホン１の使用時、支持ブーム３０は首筋あたりに配置される。そのため、頭部や首筋から発生する汗が付着しやすく、付着した汗は支持ブーム３０を伝わってマイクロホンユニット２０内に浸入して絶縁不良や腐蝕を起こし、これが原因で雑音が発生することがある。
【００１９】
これを防止するため、本発明では、図２に示すように支持ブーム３０に静電植毛によりパイル３２を植設したのち、パイル３２に撥水処理を施す。パイル３２は支持ブーム３０の全長にわたって植設されることが好ましいが、支持ブーム３０の一部分、すなわち支持ブーム３０のマイクロホンユニット２０に対する付け根部分から上記ハンガー１２側に向けての所定範囲にかけて植設されてもよい。
【００２０】
パイル３２には、合成繊維，天然繊維，ガラスやセラミックなどの無機粉末など、公知のパイル素材を使用できるが、特には外観上（風合い）の観点から、太さ１〜３デニールで、長さが０．５〜１．０ｍｍ、中でも２デニールのナイロンパイルが好ましい。
【００２１】
また、撥水処理剤としては、ＰＴＦＥ（ポリテトラフルオロエチレン）系もしくはシリコン系の撥水処理剤が好ましく採用される。これによれば、パイル３２に降りかかった汗は、パイル３２の先端に粒状として接し、小粒状態ではパイル表面に滞留するが、大粒に育ったものは重力によりパイル表面から転げ落ちる。なお、撥水処理は必ずしもパイル３２の全長にわたって行う必要はなく、少なくともパイル３２の先端部分だけを撥水処理すればよい。
【００２２】
また、パイル３２の色について言えば、黒色系とすることにより光の反射を防止することができ、ベージュ色系とすることによりテレビジョンスタジオやステージなどで使用する際にマイクロホンの存在を視覚的に抑えることができる。
【００２３】
以上、図１に示すヘッドセット型マイクロホンを例として本発明を説明したが、本発明にはタイピン型マイクロホンも含まれる。その場合には、マイクロホンユニットから引き出されているマイクコードの所定部分に取り付けられるネクタイピン状の装着具が人体の衣服に対する装着手段に相当するとともに、マイクコードがマイクロホンユニットの支持部材となるため、少なくともマイクロホンユニットとネクタイピン状の装着具との間のマイクコードに静電植毛によりパイルを植設して、そのパイルに撥水処理を施せばよい。
【００２４】
また、本発明において、マイクロホンユニット２０に例えば特許文献１に記載されているような撥水処理が施されているウインドスクリーンを被せてもよいことは勿論である。
【図面の簡単な説明】
【００２５】
【図１】本発明が適用されたヘッドセット型マイクロホンの一例を示す正面図。
【図２】本発明の要部拡大断面図。
【符号の説明】
【００２６】
１  ヘッドセット型マイクロホン
１０  ヘッドバンド
１１  ヘッドホンユニット
１２  ハンガー
２０  マイクロホンユニット
３０  支持ブーム
３１  マイクコード
３２  パイル
【図１】
2006197287.tif 000003
【図２】
2006197287.tif 000004